(57)【特許請求の範囲】
【請求項１】
火災による炎を検出して音声警報を出力する炎検出器に於いて、
本体前面に連続して当該面から突出したスピーカ収納部の前面を、壁面設置状態における鉛直方向に沿ってその上部が下部に対して突出量の大きい傾斜面として形成し、前記スピーカ収納部の前面に複数の音響孔を設けたこと特徴とする炎検出器。
【発明の詳細な説明】
【技術分野】
【０００１】
本発明は、屋外に設置されて火災による炎を検出して音声警報する炎検出器に関する。
【背景技術】
【０００２】
従来、火災による炎を検出する炎検出器としては、火災報知設備の検出器として使用されている。即ち、火災報知設備に設けた受信機からの信号線に火災感知器に加え、必要に応じて炎検出器を接続し、炎検出器で火災による炎を検出した場合は、火災発報信号を受信機に送出し、受信機から火災警報を出すようにしている。
【０００３】
このような炎検出器としては、建物内部に限らず、屋外に設置して火災を監視する場合も有り、屋外に設置する場合には防水構造をとることで、雨水が進入しないようにしている。炎検出器は検出窓を有し、検出窓の内側に配置した火災検出素子により炎からのエネルギーを受光して火災を検出しており、検出窓の部分を密閉構造とすることで雨水の浸入を防止できる。
【０００４】
一方、近年にあっては、火災報知設備に使用される炎検出器以外に、電池とスピーカを内蔵し、火災による炎を検出してスピーカにより音声警報を出力する炎検出器が考えられている。このような炎検出器は例えば放火の恐れがある家屋の外壁面等に設置され、炎を検出してスピーカから音声警報を出力して異常を知らせる。電池駆動によりスピーカから十分な音量の音声警報を出すためには、内部に設けたスピーカに対し音響孔を開口しておく必要がある。
【先行技術文献】
【特許文献】
【０００５】
【特許文献１】特開平１０−１４５４７１号公報
【特許文献２】特開２００１−１７７６１６号公報
【特許文献３】特開２００５−２９２９６７号公報
【発明の概要】
【発明が解決しようとする課題】
【０００６】
しかしながら、内蔵スピーカに対し音響孔を開口した場合には、雨天の際に外部に開口した音響孔から内部に雨水が浸入してスピーカ収納部に溜まり、音がでなくなる。また冬場にあっては、浸入した雨水が凍結して音がでなくなることもある。
【０００７】
本発明は、音響孔から雨水が浸入しても確実にスピーカにより音声警報ができるようにする炎検知器を提供することを目的とする。
【課題を解決するための手段】
【０００８】
この目的を達成するため本発明は次のように構成する。本発明は、火災による炎を検出して音声警報を出力する炎検出器に於いて、本体前面に連続して当該面から突出したスピーカ収納部の前面を、壁面設置状態における鉛直方向に沿ってその上部が下部に対して突出量の大きい傾斜面として形成し、スピーカ収納部の前面に複数の音響孔を設けたこと特徴とする。
【発明の効果】
【０００９】
本発明によれば、スピーカ部の音響孔からスピーカ収納部に雨水が浸入しても、スピーカ部の下部に形成した水抜孔から排出され、また水が溜まったとしても、スピーカ部までは水がたまらないため、スピーカ収納部に雨水が溜まって音が出なくなることを確実に防止できる。
【００１０】
またスピーカ部は上部が本体前面から突出してエッジを形成し、下方に向かって突出量を小さくするように形成することで、スピーカ部の音響部前面が斜め下向きとなり、更に音響孔は斜め下方に向けて開口されていることで、雨水を浸入しづらくしている。
【図面の簡単な説明】
【００１１】
【図１】本発明の炎検出器の正面図
【図２】本発明の炎検出器の斜視図
【図３】図２のフードを外した本発明の炎検出器の斜視図
【図４】図１のスピーカ部の説明図
【図５】図１のスピーカ部の他の実施形態の説明図
【発明を実施するための形態】
【００１２】
図１は本発明による炎検出器の正面図であり、図２に斜視図を示している。図１及び図２において、本発明の炎検出器１は本体２における本体前面３の上部側に検出窓９を設けており、検出窓９の内側には炎からのエネルギーを受光して検出する検出素子が内蔵されている。また検出窓９に対してはフード１０が装着され、直射日光が検出窓９に入射するのを防いでいる。
【００１３】
本体２における本体前面３にはスピーカ部４が設けられている。スピーカ部４は図２から明らかなように、本体前面３から突出して一体に形成されており、スピーカ部４の上部は本体前面３から突出してエッジ部６を形成しており、下方に向かって突出量を小さくするように形成しており、これによってスピーカ部４の前面１２は下向きに傾いている。スピーカ部４の前面１２には複数の音響孔５が開口されている。またスピーカ部４の下部には水抜孔８が設けられている。
【００１４】
図３は図２のフード１０を取り外した状態の炎検出器１の説明図である。フード１０はフード装着部１１に着脱自在に設けられる。検出窓９は斜め下向きとなるように傾斜面に設けられている。
【００１５】
図４は本発明の炎検出器１におけるスピーカ部４の断面説明図である。図４において、本体２の内部には基板１３が設けられ、基板１３上には図示しないＣＰＵ、電気部品など炎検出器の検出動作に必要な回路部品が実装されている。また本体２の内部には電池１４が内蔵されている。
【００１６】
スピーカ部４の内部にはスピーカ収納部１８が形成され、ここにゴムパッキン１７を介してスピーカ１５を固定している。スピーカ１５は前面に振動板１６を備えており、振動板１６がスピーカ収納部１８の内側を閉鎖しゴムパッキン１７のシールによって本体内部を密閉状態としている。
【００１７】
スピーカ部４は上部がエッジ部６により突出しており、下部はその突出量が上部よりも小さくなるように形成されており、これによってスピーカ部４の前面１２は斜め下向き、即ち垂直方向に対し角度βの傾きを持った面となっている。
【００１８】
スピーカ部４における前面１２には音響孔５が形成されており、音響孔５は水平方向に対し斜め下向きに角度αの向きを持って開口されている。更にスピーカ部４の下部には水抜孔８が開口され、水抜孔８はスピーカ収納部１８の狭まった底部から斜め下向きに開口している。
【００１９】
このような図４における本発明の炎検出器１におけるスピーカ部４の構造にあっては、炎検出器１を屋外に設置した状態で雨水を受けた場合、スピーカ部４の前面１２が垂直方向に対し角度βの下向きとなる傾きを持っていることから、垂直面とした場合に比べ雨水を直接受けにくくなっている。またスピーカ部４の前面１２に開口した音響孔５は角度α斜め下方に向けて開口されているため、これによっても雨水を直接受けた場合、内部のスピーカ収納部１８に雨水が浸入しづらくしている。
【００２０】
一方、音響孔５からスピーカ収納部１８に雨水が浸入した場合には、スピーカ収納部１８は上部で広く下部で狭まるＶ字溝に近い形状を持っているため、浸入した雨水はスピーカ収納部１８の下部に溜まり、その底部から斜め下方に開口している水抜孔８から外部に効率よく排出することができる。このため音響孔５から雨水がスピーカ収納部１８に浸入しても水が溜まらず、スピーカ１５が鳴らなくなることを確実に防止できる。
【００２１】
図５は本発明の他の実施形態であり、この実施形態にあっては、スピーカ収納部１８の下方に水溜り部１９を形成し、水溜り部１９の低部から前面側に水抜孔８を形成している。また水溜部１９の底部後方をアール形状とすることでエッジレス部２０としている。これ以外の構造は図４の実施形態と同じである。なお、水抜孔８は水溜部１９を設けたことで、斜め下方を向いていなくても良い。また水溜部１９はエッジレス部２０を形成することが望ましいが、エッジがあっても良い。
【００２２】
図５の実施形態によれば、水抜孔８から表面張力により、うまく水が抜けずに内部に僅かに溜まっても、スピーカ１５の振動板１６より下側に水溜り部１９を形成しているため、残った水が振動位置１６にかかることがない。また水溜り部１９に溜まった水は、振動板１６に触れる前に表面張力を越えて水抜孔７から抜け落ちる。このとき水溜り部１９の底部をエッジレス部２０としていることで、溜まった水はより抜け出しやすくなり、振動板１６にかかるまで溜まることはない。
【００２３】
なお屋外に設置した場合には図１、図２に示したように検出窓９の上部にフード１０が装着されており、上部からの雨水はフード１０によってスピーカ部４にかかるのを防止でき、風などにより斜め方向から吹き付けた雨水だけがスピーカ部４に当たることとなり、フード１０によってもスピーカ部４に対する雨水の浸入が抑制できる。
【符号の説明】
【００２４】
１：炎検出器
２：本体
３：本体前面
４：スピーカ部
５：音響孔
６：エッジ部
８：水抜孔
９：検出窓
１０：フード
１１：フード装着部
１２：スピーカ部前面
１３：基盤
１４：電池
１５：スピーカ
１６：振動板
１７：ゴムパッキン
１８：スピーカ収納部
１９：水溜り部
２０：エッジレス部
【図１】
0005213141.tif 000002
【図２】
0005213141.tif 000003
【図３】
0005213141.tif 000004
【図４】
0005213141.tif 000005
【図５】
0005213141.tif 000006